(57)【要約】【課題】ラックの配置構成により、効率的な冷却効果が期待可能なラックキャッピング装置を提供する。【解決手段】熱を発生する機器を収納する２つ以上のラック（例えばサーバラック）及び１つ以上の空調機を対向し、かつラック及び空調機の正面又は背面同士により塞がれる空間を構成するように配置し、ラック型空調機の正面側から排出される冷気を当該空間に各ラック内の機器を冷却するように構成した。【選択図】図１
2014126277.tif 000002
【特許請求の範囲】
【請求項１】
２つ以上のラック及び１つ以上の空調機を有するデータセンターの空調設備であって、前記２つ以上のラックと前記１つ以上のラック型空調機を、当該ラック及び当該ラック型空調機の正面又は背面同士が内側に向くようにサークル状に配置し、かつ当該ラック及び当該空調機の正面又は背面により取り囲まれ、塞がれる空間を構成し、当該空間に前記１つ以上の空調機の機器冷却用空気（冷気）を床下側又はラック外側から吸気し、当該冷気がラック内を通してラック外側又は床下側に排出されるな構成とすることを特徴とするラックキャッピング装置。
【発明の詳細な説明】
【技術分野】
【０００１】
本発明は、空調環境にあるＩＴ機器、例えば複数のサーバを内蔵するサーバラック同士でホットアイル又はコールドアイルの空間を構成するラックキャッピング装置に関する。
【背景技術】
【０００２】
従来、サーバラック列間のホットアイル又はコールドアイルをキャッピングし、空調環境におけるサーバルームの冷却効率を上げるシステムが提案されている。
例えば、本技術分野の背景技術として、特開２００５−２６０１４８号公報（特許文献１）および特開２０１０−１２２７４７号公報などがある。
【０００３】
特許文献１には、「通路を挟んで両側に設置され前面から給気して上面または背面から熱を帯びた空気を排気する機器収容用ラックに設けられ、前記上面または背面から排出された空気の前記前面側への回り込みを阻止する回り込み防止装置において、前記通路を挟んで両側のラックの上面にそれぞれ設けられる固定具と、これら固定具に両端部を支持する遮蔽板とを備え、該遮蔽板は、前記両側の固定具の少なくともいずれか一方側で固定されることを特徴とする回り込み防止装置。」が記載されている（請求項１参照）。
【０００４】
また、特許文献２には、「複数のラックからなるラック列を対向配置し、該ラック列間に形成されるラック間通路に、天井部と入口扉部と該入口扉部対向する位置に設置された背面部を設けて形成されたラック間通路遮蔽構造。」が記載されている（請求項１参照）。
【先行技術文献】
【特許文献】
【０００５】
特開２００５−２６０１４８号公報
特開２０１０−１２２７４７号公報
【発明の開示】
【発明が解決しようとする課題】
【０００６】
前記特許文献１には、電算機室用空調システムにおいて、電算機等の機器を十分に冷却することができるとともに省エネルギーにも貢献する回り込み防止装置が記載されている。また、前記特許文献２には、サーバルーム・データセンターにおいて、サーバ自体の省電力化と共に、空調効率を改善できるラック間通路遮蔽構造が記載されている。
【０００７】
しかし、これらの装置や構造は、空調システムやサーバルーム・データセンターの遮蔽板や天井パネル（密閉部材）を支持する固定具やレール部材などキャッピング用の各種部材が必要であり、またこれらの部材を、ラックの上面や側面に取り付ける必要があり、その構築に時間を要すると共に構造が複雑となる課題があった。
【０００８】
そこで、本発明は、係る課題に鑑み、特別な固定具やレール部材などのキャッピング部材を必要とすることなく、ラック及びラック型空調機の配置構成により、省エネで効率的な冷却効果が期待可能なラックキャッピング装置を提供する。
【課題を解決するための手段】
【０００９】
上記課題を解決するために、本発明は、熱を発生する機器を収納する３つ以上のラック（例えばサーバラック）及びラック型空調機同士をサークル状にかつラック同士間で囲まれる独立した空間が構成されるように配置し、ラック型空調機の正面側から排出される冷気を当該空間に各ラック内の機器を冷却するように構成したことを特徴とするものである。また、ラック型空調機の冷却能力の不足をおぎなうための空調装置の冷気を床下側からも送ることを特徴とするものである。
前述は、３つ以上のラック（例えばサーバラック）及びラック型空調機同士の囲まれたエリアをコールドアイルと想定しているが、ホットアイルとすることも可能である。
【００１０】
例えば、本発明のラックキャッピング装置は、２つ以上のラック及び１つ以上のラック型空調機を有するデータセンターの空調設備であって、前記２つ以上のラックと前記１つ以上のラック型空調機を、当該ラック及び当該空調機の正面又は背面同士が内側に向くようにサークル状に配置し、かつ当該ラック及び当該ラック型空調機の正面又は背面により取り囲まれ、塞がれる空間を構成し、当該空間に前記１つ以上のラック型空調機の機器冷却用空気（冷気）をラック正面から吸気し、当該冷気がラック内を通してラック外側に排出されるような構成とする。
【発明の効果】
【００１１】
本発明によれば、ラック同士をもって空間（コールドアイル又はホットアイル）を構成するようにラック及びラック型空調機同士をサークル状に配置し、ラック型空調機の正面側から排出される冷気を当該空間に各ラック内の機器を冷却する特別なキャッピング部材を用意する必要がなく、部材の低減効果を期待できる。
上述した以外の課題、構成及び効果は、以下の実施形態の説明により明らかにされる。
【図面の簡単な説明】
【００１２】
【図１】本発明の第１の実施例を示すラックキャッピング装置の上面図である。
【図２】本発明のラックキャッピング装置をフリーアクセス床上に配置したときの要部断面図である。
【図３】本発明の第２の実施例を示すラックキャッピング装置の上面図である。
【図４】本発明の第３の実施例を示すラックキャッピング装置の上面図である。
【発明を実施するための形態】
【００１３】
以下、実施例について図面を用いて説明する。
本実施例では、データセンターでの空調室の冷却効率向上を図るために、２つ以上のラック（例えば１９インチのサーバラック）と１つ以上のラック型冷却装置（空調機）をもって空間を構成し、当該空間を、冷却装置（空調機）をもって空調する例について説明する。
【実施例１】
【００１４】
図１、図２は、本実施例の一実施例のラックキャッピング装置の構成図である。
２つのサーバラック１１０、１３０及び２つの空調機２１０、２２０は、サークル状に配置する。
【００１５】
即ち、２つのサーバラック１１０、１３０の正面１１１、１３１同士が内側に向くようにサークル状に配置し、かつ当該正面同士をもって内側に空間（コールドアイル）１８０が構成されるように配置する。
【００１６】
換言すれば、２つのラックと２つの空調機のみをもって取り囲まれ、塞がれる四角柱状の空間１８０を構成する。
【００１７】
本実施例では、２つのサーバラック１１０、１３０及び２つの空調機２１０、２２０の正面をそれぞれ内側に向けて配置し、四角柱状の空間１８０を構成するようにしているが、これは２つのサーバラック１１０、１３０及び２つの空調機２１０、２２０の背面１１２、１３２及び２１２、２２２が内側に向くように配置して空間１８０（ホットアイル）を構成しても良い。
【実施例２】
【００１８】
図３は、本発明の第２の実施例のキャッピングラック装置の上面図である。
本実施例では、２つのサーバラック１１０、１２０と１つの空調機２１０をもって塞がれる独立した空間を構成したものである。この場合には、空間１８０は、三角柱状に構成される。第１実施例と同一部分には同一符号を付して説明を省略する。
【実施例３】
【００１９】
図４は、本発明の第３の実施例のキャッピングラック装置の上面図である。
本実施例では、４つのサーバラック１１０、１２０、１３０、１４０及び２つの空調機２１０、２２０をもって塞がれる独立した空間１８０を構成したものである。この場合には、空間１８０は、六角柱状に構成される。第１、第２の実施例と同一部分には同一符号を付して説明を省略する。サーバラック１４０、１６０は、それぞれ正面１４１、１６１及び背面１４２、１６２を有する。
【００２０】
なお、本発明は上述した実施例に限定されるものではなく、様々な変形例が含まれる。例えば、上述した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００２１】
１１０、１２０、１３０、１４０、１６０  サーバラック
１７０  フリーアクセス床
１７１１  貫通孔
１８０  空間
２１０、２２０  空調機
【図１】
2014126277.tif 000003
【図２】
2014126277.tif 000004
【図３】
2014126277.tif 000005
【図４】
2014126277.tif 000006